(57)【要約】【課題】カーテン紐の巻き取り装置の提供。【解決手段】主にカーテンの引き紐に設置し、引き紐はガイド部品の螺旋ガイド槽を通して螺旋状にコードスプールに巻き付くようガイドされ、こうして引き紐は該コードスプールに沿って順番に排列される。また該コードスプールは動力弾性部品に連接し、回転の動力とする時、調整部品を利用し摩擦力を該コードスプール上に加え、これにより該コードスプールの出力トルクを調整する。こうして該動力弾性部品は該コードスプールのトルクとカーテンの重力に施力し、該コードスプールのトルクを平衡とする。【選択図】図１
2008088656.tif 000002
【特許請求の範囲】
【請求項１】
少なくとも１個のカーテンカバー部品に穿設可能な引き紐を用い、動力弾性部品、キャリア、コードスプール、ガイド部品、回転軸、調整部品を含み、
該コードスプールは該キャリアに可動接続し、しかも該コードスプール一端は該動力弾性部品に連接し、これにより該コードスプールを回転させ該引き紐を巻き取り、しかも該コードスプール部分の表面には錐状部を形成し、
該ガイド部品はガイド部を備え、該ガイド部は該引き紐を該錐状部において導引し、該引き紐は順番に該コードスプールに沿って排列し、
該回転軸は該各動力弾性部品と該コードスプールに連接し、
該調整部品は該キャリアに位置し、予定の方向に沿って移動し、該コードスプールに接触固定し、該コードスプールの回転にダンピング作用を施し、該動力部品と該カーテンカバー部品がそれぞれ該コードスプールに加えるトルクと重力のバランスをとることを特徴とするカーテン紐の巻き取り装置。
【請求項２】
請求項１記載のカーテン紐の巻き取り装置において、前記引き紐は該キャリアと該ガイド部品を貫通し、該ガイド部に進入することを特徴とするカーテン紐の巻き取り装置。
【請求項３】
請求項１記載のカーテン紐の巻き取り装置において、前記ガイド部は螺旋ガイド槽で、該コードスプールの円周面に対応し螺旋状を呈し、該螺旋ガイド槽は該引き紐を導引し螺旋状を呈させ、該錐状部に巻き付けさせることを特徴とするカーテン紐の巻き取り装置。
【請求項４】
請求項１記載のカーテン紐の巻き取り装置において、前記回転軸は該コードスプールと該動力弾性部品の予定部位中に穿設することを特徴とするカーテン紐の巻き取り装置。
【請求項５】
請求項１記載のカーテン紐の巻き取り装置において、前記調整部品は固定片、圧片、ダイヤル、弾性部品を含み、
該固定片は該キャリアに固定し、
該圧片は該コードスプール表面を押さえ、
該ダイヤルの一端はピボットを延伸し、該ピボットは該固定片に螺接続し、該圧片はその上に連接し、該ダイヤルの回転により該圧片と該固定片間の間隔距離を調整し、
該弾性部品は該圧片と該固定片の間に設置し、該圧片に該コードスプールに向かった力を恒常的に加えることを特徴とするカーテン紐の巻き取り装置。
【請求項６】
請求項１記載のカーテン紐の巻き取り装置において、前記調整部品はダイヤル、圧片、弾性部品を含み、
該ダイヤルの一端はピボットを延伸し、該ピボットは該キャリアに螺接し、
該圧片は該ピボットの該キャリアに相対する一端に設置し、該ダイヤルの回転に従い、該キャリアとの間の距離を変化させ、
該弾性部品は該キャリアと該圧片との間に設置し、該圧片に該コードスプールに向かった力を恒常的に加えることを特徴とするカーテン紐の巻き取り装置。
【請求項７】
請求項１記載のカーテン紐の巻き取り装置において、前記調整部品はダイヤル、圧片を含み、
該ダイヤルの一端はピボットを延伸し、該ピボットは該キャリアに螺接し、
該圧片は該ピボットの該キャリアに相対する一端に設置し、該ダイヤルの回転に従い、該キャリアとの間の距離を変化させることを特徴とするカーテン紐の巻き取り装置。
【請求項８】
請求項７記載のカーテン紐の巻き取り装置において、前記調整部品は固定片を含み、
該固定片は該キャリアに固定し、該圧片の予定の部位は上下スライド移動の方式でその上に嵌設、該ダイヤルをその上に螺接することを特徴とするカーテン紐の巻き取り装置。
【請求項９】
請求項１記載のカーテン紐の巻き取り装置において、前記カーテン紐の巻き取り装置は外蓋を備え、
該外蓋一端は該キャリアに係合設置し、該外蓋の反対端は該コードスプールの該キャリアに遠い一端に可動接続し、こうして該コードスプールはスムーズに回転が可能で、しかも該外蓋と該コードスプール間には設置空間を形成し、該コードスプール外周に巻き付く該引き紐を収納することを特徴とするカーテン紐の巻き取り装置。
【請求項１０】
主に少なくとも１個のカーテンカバー部品に穿設可能な引き紐を用い、キャリア、コードスプール、ガイド部品、回転軸を含み、
該コードスプールは該キャリアに可動接続し、該引き紐を巻き取ることができ、しかも該コードスプール表面には錐状部を形成し、
該ガイド部品はガイド部を備え、該ガイド部は該引き紐を角度に沿って導引し、該錐状部に巻き付かせ、しかも引き紐は順番に該コードスプールに沿って排列し、
該回転軸は該コードスプールを貫通し、該コードスプールの回転を連動することを特徴とするカーテン紐の巻き取りモジュール。
【請求項１１】
請求項１０記載のカーテン紐の巻き取りモジュールにおいて、前記引き紐は該キャリアと該ガイド部品を貫通し、該ガイド部に進入することを特徴とするカーテン紐の巻き取りモジュール。
【請求項１２】
請求項１０記載のカーテン紐の巻き取りモジュールにおいて、前記カーテン紐の巻き取りモジュールは外蓋を備え、
該外蓋一端は該キャリアに係合設置し、該外蓋の反対端は該コードスプールの該キャリアに遠い一端に可動接続し、こうして該コードスプールはスムーズに回転が可能で、しかも該外蓋と該コードスプール間には設置空間を形成し、該コードスプール外周に巻き付く該引き紐を収納することを特徴とするカーテン紐の巻き取りモジュール。
【発明の詳細な説明】
【技術分野】
【０００１】
本発明は一種のカーテン紐の巻き取り装置に関する。特に一種のガイド部品の導引により引き紐はコードスプール上において順番に排列し、しかも調整部品を利用しコードスプールに摩擦阻害力を加え、コードスプールの出力トルクを調整するカーテン紐の巻き取り装置に係る。
【背景技術】
【０００２】
引き紐のないカーテン構造においては、スプリングハウジング(spring housing)を動力とし、該スプリングハウジングによりローラーシェードバーのトルクに力を加え、カーテンの重さと該ローラーシェードバーのトルクの均衡を図り、カーテンをあらゆる位置も保持可能とする。
【０００３】
これに関連する技術としては特許文献１があるが、該構造においては、中空のローラーシェードバー(roller shade bar)の回転を利用し巻き取り、しかも該ローラーシェードバー中には動力スプリング(power spring)を設置し、回転動力を生み出し、巻き取りを行う。
【０００４】
また特許文献２では、中空ローラーシェードバーを利用し、中空ローラーシェードバーに対応し軸に沿って移動し、巻き取りは該中空のローラーシェードバー表面に沿って排列し巻き取られ、紐が相互に絡み合うことを防止することができる。しかし、該巻取り構造は複雑で、しかも中空のローラーシェードバーが軸に沿って移動する空間には限界があり、大きなサイズ或いは非常に長い場合には適用することができない。
【０００５】
さらに特許文献３と特許文献４では、ローラーシェードバーは錐状で、同様にスプリングハウジングを動力として利用し、巻き取りを行う時、紐は自動的にローラーシェードバー表面に排列する。このタイプの巻き取り構造は比較的シンプルであるが、特許文献３のローラーシェードバー表面には螺旋槽を開設し紐を収容するため、該ローラーシェードバーの螺旋槽も紐の長さに対応させる必要があり、紐が比較的長い時には紐を完全に収納するために、該ローラーシェードバーも大きくなってしまう。しかし、紐の長さはカーテンの設置状況によって異なるため、様々なサイズのローラーシェードバーを用意する必要があり、ローラーシェードバー表面に開設する螺旋槽は製造コストを高騰させてしまう。特許文献４はローラーシェードバーの錐状部分を利用し、巻き取り時に紐は自動的に錐状部分を備えたローラーシェードバーに排列されるが、紐とローラーシェードバー間にはガイド機構がなく、しかも錐状を備えた部分は紐がローラーシェードバーに対応する位置から遠いため、巻き取りの後期には錐状部分のガイドがないため引っかかってしまい、巻き取りは順調に行かなくなってしまう。またスプリングハウジングは時間及び使用頻度とともにトルクが劣化するが、スプリングハウジングのトルクが減少すれば、カーテンの重さはローラーシェードバーのトルクを非平衡としてしまうため、カーテンの重さによりカーテンを固定することができなくなってしまう。こうなると、スプリングハウジングを交換するしか解決の方法はない。またカーテンのサイズは設置場所によって異なるため、いくらかの調整が必ず必要であるが、カーテンの重さが変化する状況とスプリングハウジングのトルクがほとんど固定されている状況において、各種サイズのカーテンに完全に適用可能とは言えない。
【０００６】
【特許文献１】米国特許公報第5706876号明細書
【特許文献２】米国特許公報第5813447号明細書
【特許文献３】米国特許公報第5133399号明細書
【特許文献４】米国特許公報第5328113号明細書
【発明の開示】
【発明が解決しようとする課題】
【０００７】
本発明はカーテン紐の巻き取り装置を提供し、引き紐を順番にコードスプールに排列可能で、様々なサイズのカーテンに対して動力弾性部品のトルクを補うことができ、
すなわちそれは、少なくとも１個のカーテンカバー部品に穿設可能な引き紐を用い、動力弾性部品、キャリア、コードスプール、ガイド部品、回転軸、調整部品を含み、
該コードスプールは該キャリアに可動接続し、該動力弾性部品の連動を受け回転し、これにより該引き紐は該ガイド部品のガイドによりスムーズに該コードスプール上において順番に巻き付き、
該キャリア上には該調整部品を設置し、該コードスプール上には摩擦力を提供し該コードスプールの回転をダンピングし、該動力弾性部品と該カーテンカバー部品が該コードスプールに加えるトルクの作用を平衡にし、
またそれはカーテン紐の巻き取りモジュールを提供し、少なくとも１個のカーテンカバー部品に穿設可能な引き紐を用い、キャリア、コードスプール、ガイド部品を含み、
該コードスプールは該キャリアに可動接続し、該コードスプールが回転し引き紐を巻き付け、
該ガイド部品はガイド部を備え、該ガイド部は該引き紐を導き該コードスプールに巻き付けさせ、こうして該引き紐は順番に該コードスプールに沿って排列する。
【０００８】
さらにそれは、ガイド部品を通して引き紐を導引し、角度に沿って該コードスプールに巻き付かせ、しかも該コードスプールの錐状部に対応し該引き紐は順番に該コードスプール上に排列し、該コードスプールが連接する動力弾性部品が回転の動力となる時、本発明は調整部品を増加し、該調整部品は摩擦力を該コードスプールに加え該コードスプールのトルクを調整し、様々なサイズのカーテン、或いは弾力の衰えにより動力弾性部品のトルクが不足する時には、摩擦力を減少させる方式で、該コードスプールの該引き紐に対するトルクは変化せず、よって本発明のカーテン紐の巻き取り装置は該引き紐をスムーズに該コードスプール上に巻き付け、しかも該コードスプールの該引き紐に対するトルクを調整することにより、様々なサイズのカーテンに使用可能で、しかも該動力弾性部品の弾力が衰えた時には、該コードスプールのトルクを調整可能で、適用範囲が広く、組立てが便利で、調整機能をも備えるカーテン紐の巻き取り装置を提供する。
【課題を解決するための手段】
【０００９】
請求項１の発明は、少なくとも１個のカーテンカバー部品に穿設可能な引き紐を用い、動力弾性部品、キャリア、コードスプール、ガイド部品、回転軸、調整部品を含み、
該コードスプールは該キャリアに可動接続し、しかも該コードスプール一端は該動力弾性部品に連接し、これにより該コードスプールを回転させ該引き紐を巻き取り、しかも該コードスプール部分の表面には錐状部を形成し、
該ガイド部品はガイド部を備え、該ガイド部は該引き紐を該錐状部において導引し、該引き紐は順番に該コードスプールに沿って排列し、
該回転軸は該各動力弾性部品と該コードスプールに連接し、
該調整部品は該キャリアに位置し、予定の方向に沿って移動し、該コードスプールに接触固定し、該コードスプールの回転にダンピング作用を施し、該動力部品と該カーテンカバー部品がそれぞれ該コードスプールに加えるトルクと重力のバランスをとることを特徴とするカーテン紐の巻き取り装置としている。
請求項２の発明は、請求項１記載のカーテン紐の巻き取り装置において、前記引き紐は該キャリアと該ガイド部品を貫通し、該ガイド部に進入することを特徴とするカーテン紐の巻き取り装置としている。
請求項３の発明は、請求項１記載のカーテン紐の巻き取り装置において、前記ガイド部は螺旋ガイド槽で、該コードスプールの円周面に対応し螺旋状を呈し、該螺旋ガイド槽は該引き紐を導引し螺旋状を呈させ、該錐状部に巻き付けさせることを特徴とするカーテン紐の巻き取り装置としている。
請求項４の発明は、請求項１記載のカーテン紐の巻き取り装置において、前記回転軸は該コードスプールと該動力弾性部品の予定部位中に穿設することを特徴とするカーテン紐の巻き取り装置としている。
請求項５の発明は、請求項１記載のカーテン紐の巻き取り装置において、前記調整部品は固定片、圧片、ダイヤル、弾性部品を含み、
該固定片は該キャリアに固定し、
該圧片は該コードスプール表面を押さえ、
該ダイヤルの一端はピボットを延伸し、該ピボットは該固定片に螺接続し、該圧片はその上に連接し、該ダイヤルの回転により該圧片と該固定片間の間隔距離を調整し、
該弾性部品は該圧片と該固定片の間に設置し、該圧片に該コードスプールに向かった力を恒常的に加えることを特徴とするカーテン紐の巻き取り装置としている。
請求項６の発明は、請求項１記載のカーテン紐の巻き取り装置において、前記調整部品はダイヤル、圧片、弾性部品を含み、
該ダイヤルの一端はピボットを延伸し、該ピボットは該キャリアに螺接し、
該圧片は該ピボットの該キャリアに相対する一端に設置し、該ダイヤルの回転に従い、該キャリアとの間の距離を変化させ、
該弾性部品は該キャリアと該圧片との間に設置し、該圧片に該コードスプールに向かった力を恒常的に加えることを特徴とするカーテン紐の巻き取り装置としている。
請求項７の発明は、請求項１記載のカーテン紐の巻き取り装置において、前記調整部品はダイヤル、圧片を含み、
該ダイヤルの一端はピボットを延伸し、該ピボットは該キャリアに螺接し、
該圧片は該ピボットの該キャリアに相対する一端に設置し、該ダイヤルの回転に従い、該キャリアとの間の距離を変化させることを特徴とするカーテン紐の巻き取り装置としている。
請求項８の発明は、請求項７記載のカーテン紐の巻き取り装置において、前記調整部品は固定片を含み、
該固定片は該キャリアに固定し、該圧片の予定の部位は上下スライド移動の方式でその上に嵌設、該ダイヤルをその上に螺接することを特徴とするカーテン紐の巻き取り装置としている。
請求項９の発明は、請求項１記載のカーテン紐の巻き取り装置において、前記カーテン紐の巻き取り装置は外蓋を備え、
該外蓋一端は該キャリアに係合設置し、該外蓋の反対端は該コードスプールの該キャリアに遠い一端に可動接続し、こうして該コードスプールはスムーズに回転が可能で、しかも該外蓋と該コードスプール間には設置空間を形成し、該コードスプール外周に巻き付く該引き紐を収納することを特徴とするカーテン紐の巻き取り装置としている。
【００１０】
請求項１０の発明は、主に少なくとも１個のカーテンカバー部品に穿設可能な引き紐を用い、キャリア、コードスプール、ガイド部品、回転軸を含み、
該コードスプールは該キャリアに可動接続し、該引き紐を巻き取ることができ、しかも該コードスプール表面には錐状部を形成し、
該ガイド部品はガイド部を備え、該ガイド部は該引き紐を角度に沿って導引し、該錐状部に巻き付かせ、しかも引き紐は順番に該コードスプールに沿って排列し、
該回転軸は該コードスプールを貫通し、該コードスプールの回転を連動することを特徴とするカーテン紐の巻き取りモジュールとしている。
請求項１１の発明は、請求項１０記載のカーテン紐の巻き取りモジュールにおいて、前記引き紐は該キャリアと該ガイド部品を貫通し、該ガイド部に進入することを特徴とするカーテン紐の巻き取りモジュールとしている。
請求項１２の発明は、請求項１０記載のカーテン紐の巻き取りモジュールにおいて、前記カーテン紐の巻き取りモジュールは外蓋を備え、
該外蓋一端は該キャリアに係合設置し、該外蓋の反対端は該コードスプールの該キャリアに遠い一端に可動接続し、こうして該コードスプールはスムーズに回転が可能で、しかも該外蓋と該コードスプール間には設置空間を形成し、該コードスプール外周に巻き付く該引き紐を収納することを特徴とするカーテン紐の巻き取りモジュールとしている。
【発明の効果】
【００１１】
本発明キャリア、コードスプール、ガイド部品は組み合わせ、カーテン引き紐巻き取りモジュールとすることができ、該カーテン引き紐巻き取りモジュールは引き紐或いは動力弾性部品の駆動を通して、コードスプールを回転させ、引き紐を備えた或いは引き紐のないカーテン巻き取り構造に適用することができる。また本発明のカーテン引き紐巻き取り装置は動力弾性部品のトルクを調整可能で、様々なサイズのカーテンに適用することができ、動力弾性部品のトルクが低下した時には、動力弾性部品のトルクに対する制限を減少させる方式により、動力弾性部品のカーテンカバー部品に対するトルクを増加させ、減少した弾力を補うことができる。
【発明を実施するための最良の形態】
【００１２】
本発明の組み合わせ図及び分解図である図１、２に示すように、本発明カーテン紐の巻き取り装置は少なくとも１個のカーテンカバー部品(covering material)１００に穿設する引き紐１１０を用い、回転を通してコードスプール(cord spool)３００に巻き取るものである。該カーテンカバー部品１００はハニカムプリーツ(honeycomb pleats)或いは一般のカーテンスラートなどである。
【００１３】
該コードスプール３００片側は回転軸９１０により動力弾性部品７００を連接し、キャリア３１０とガイド部品３３０は上レール(top rail)９００中に設置し、しかも該キャリア３１０と該ガイド部品３３０は相互に隣接する。該キャリア３１０は該コードスプール３００を受け、回転させる。該引き紐１１０は下から上へと該キャリア３１０を貫通し、しかも水平に該ガイド部品３３０を貫通後、該コードスプール３００上に巻き付く。
【００１４】
該キャリア３１０上には別に調整部品５００を設置し、該調整部品５００は該コードスプール３００回転時の阻害力を調整し、長期使用を経た後の該動力弾性部品７００の弾力の衰えとカーテンサイズが異なることで必要となる、異なる弾力の問題を補償する。
【００１５】
外蓋８００の一端はキャリア３１０に係合設置し、反対端は該コードスプール３００に可動接続し、これにより該コードスプール３００の両端はそれぞれ該キャリア３１０と該外蓋８００に可動接続し、こうして該コードスプール３００はスムーズに回転することができる。
【００１６】
該動力弾性部品７００はスプリングハウジング(spring housing)で、動力スプリング(power spring)を動力とする。該動力スプリングはトルクを生じ、しかも該動力スプリングは定位スプリング(constant force spring)である。
【００１７】
回転軸９１０は該コードスプール３００の軸芯を貫通し、しかも一端或いは両端は１個或いは数個の動力弾性部品７００を連接し、しかも該上レール９００中の数個の引き紐巻き取り装置に設置する。
【００１８】
次に本発明のガイド部品、引き紐、巻取り軸の連接関係表示図である図３に示すように、該キャリア３１０底部には第一開口３１１を開設し、該キャリア３１０は該ガイド部品３３０の片側に向かい第二開口３１３を開設する。該ガイド部品３３０中において該第二部品３１３に相対する位置には第三開口３３１を開設し、しかも該ガイド部品３３０中において該第三開口３３１周囲に近い両側面には該コードスプール３００表面の周囲面方向に沿ってガイド部を形成する。本実施例においては、該ガイド部は螺旋ガイド槽３３３である。
該引き紐１１０は該第一開口３１１、該第二開口３１３、該第三開口３３１を貫通後、該螺旋ガイド槽３３３に沿って螺旋状の巻き付きを呈し、該引き紐１１０はスムーズに該コードスプール３００表面に巻き付く。また該引き紐１１０は自動的にスムーズに排列され、該コードスプール３００中において該引き紐１１０が巻きつく部分は錐状部３０１を形成する。該錐状部３０１は該コードスプール３００により該キャリア３１０の一端の長い方向に向かい可動接続し、該コードスプール３００の錐状部３０１の直径を増加させる。
これにより該引き紐１１０が該螺旋ガイド槽３３３に沿って該コードスプール３００に巻き付き、該引き紐１１０に対応しカーテンの重さによる引き伸ばし影響を受けると、該コードスプール３００に巻き付く引き紐１１０は該錐状部３０１の直径の小さい方向に向かいスライド移動する。こうして該引き紐１１０は該コードスプール３００において自動的に順番に排列される。
【００１９】
さらに、該外蓋８００と該コードスプール３００間に形成する環状設置空間を利用し、該コードスプール３００に巻き付く引き紐１１０を収容する。該外蓋８００と該コードスプール３００の間隔は該引き紐１１０の直径よりわずかに大きく、しかも該引き紐の直径の２倍より小さい。これにより該引き紐１１０は順番にスムーズに該コードスプール３００に巻き付き、該引き紐１１０が該コードスプール３００に重なり巻き付くことを防止することができる。
【００２０】
続いて本発明の調整部品とキャリア台の第一実施例連接表示図及び本発明の調整部品とキャリア台の第一実施例作動表示図である図４、５に示すように、図２、４、５で示す調整部品５００は固定片５１０、圧片５３０、弾性部品５５０、ダイヤルを含む。
該固定片５１０両端は凸ブロック５１１を延伸し、該キャリア３１０両側壁３１５においてそれぞれ係合孔３１７を開設する。これにより該固定片５１０の凸ブロック５１１は該係合孔３１７中に係合設置され、該固定片５１０は該キャリア３１０中に係合する。しかも該固定片５１０において該両側壁３１５の方向に沿って穿孔５１３を開設し、該圧片５３０は円弧状片体５３１で、該円弧状片体５３１の一端はスライド棒５３３を延伸する。該スライド棒５３３は該穿孔５１３中に穿入し、これにより該圧片５３０は該固定片５１０に相対し上下スライド移動する。該固定片５１０が該キャリア３１０に固定される時、該圧片５３０は該コードスプール３００表面に止まる。
【００２１】
該穿孔５１３傍らには螺孔５１５を形成し、ダイヤルはピボット５７１を備える。該ピボット５７１一部の表面にはネジヤマを形成し該螺孔５１５に螺接することができ、しかも該ピボット５７１の自由端において該ピボット５７１の外周に沿って環状ほぞ５７３を延伸する。該圧片５３０のスライド棒５３３傍らには第二係合孔５３５を形成し、これにより該ピボット５７１の環状ほぞ５７３は該第二係合孔５３５を貫通し、該第二係合孔５３５周囲において止まる。こうしてダイヤル一端は該第二係合孔５３５においてスライド設置される。
【００２２】
該弾性部品５５０は該ダイヤル中に嵌設され、該圧片５３０と該固定片５１０の間に設置される。これにより該弾性部品５５０は該圧片５３０と該固定片５１０の圧縮を受け、該圧片５３０を該コードスプール３００の方へと押す弾力を生じ、該圧片５３０は該環状ほぞ５７３上において止まる。同時に該コードスプール３００表面において圧迫固定し、その該コードスプール３００表面に加える正方向圧力が対応し発生する摩擦力によりダンピング効果を形成する。こうして該コードスプール３００が該核動力弾性部品７００と該回転軸９１０の連動を受け回転する時のトルクを低下させる。
【００２３】
該圧片５３０下端の円弧状片体５３１は該コードスプール３００表面に直接圧迫固定する形状に設置可能であるが、本実施例では、該円弧状片体５３１は左右が相対し各延伸する弾力片５３７とする。該弾力片５３７は該コードスプール３００上に接触固定し、該ダイヤルの回転を通して該圧片５３０の高さを調整し、該弾力片５３７の該コードスプール３００に対する固定力を調整する。
【００２４】
こうして該動力弾性部品７００は該コードスプール３００のトルクTsと該圧片５３０の該コードスプール３００を押さえる摩擦力が該コードスプール３００に対するトルクTf及び該引き紐１１０が該コードスプール３００を引き生じると付くTcの関係式はTs＋Tf＝Tcである。
【００２５】
トルクTfは該コードスプール３００の回転を阻害するため、トルクTsを相殺し、よって該圧片５３０の該コードスプール３００における施力を通して、トルクTfを変化させる。こうして該コードスプール３００のトルクを調整する。
該動力弾性部品７００を長期間使用し、弾力が衰えた時には、トルクTsは小さくなるため、ダイヤルを調整し該圧片５３０の該コードスプール３００に対する圧力を調整し、トルクTfの該コードスプール３００に対する阻害力を減少させる。こうして、トルクTsとトルクTcのバランスを取る。
一方、組立て時には、様々に異なる窓の大きさに沿って適当に裁断する必要があるため、トルクTcも変動する。しかし、一般のトルクTsは一定であるため、トルクTcが変動した時には、該圧片５３０の該コードスプール３００への圧力を調整することで、トルクTfを変化させ、同様にトルクTsとトルクTcのバランスを取ることができる。
【００２６】
次に本発明の調整部品とキャリア台の第二実施例連接表示図である図６に示すように、該実施例では該固定片５１０を該キャリア３１０上に一体に形成し、該キャリア３１０は該調整部品５００の側面に対応し穿孔３１８と螺孔３１９を設置する。該調整部品５００との連結関係は上記実施例と同様であるため、詳述しない。
【００２７】
さらに本発明の調整部品とキャリア台の第三実施例連接表示図である図７に示すように、該キャリア３１０片側には穿孔３１８と螺孔３１９を開設し、該調整部品５００は圧片５３０とダイヤル５７０を含む。該圧片５３０の一端はスライド棒５３３を延伸し、該スライド棒５３３は該穿孔３１８を貫通する。これにより該圧片５３０は上下スライド運動し該キャリア３１０上に嵌設、その下端は該コードスプール３００表面において接触する。該ダイヤル５７０一端はピボット５７１を延伸し、該ピボット５７１は該螺孔３１９に螺接し、その末端は該圧片５３０に可動接続する。該圧片５３０上方位置に対応し、さらに環状突起５７５を設置し、該圧片５３０が該ピボット５７１外に脱落しないよう防止する。こうして該圧片５３０は該ダイヤル５７０を回すことで、該圧片５３０が該コードスプール３００に加える圧力を調整することができる。
【００２８】
上述キャリア、コードスプール、ガイド部品は組み合わせ、カーテン引き紐巻き取りモジュールとすることができ、該カーテン引き紐巻き取りモジュールは引き紐或いは動力弾性部品の駆動を通して、コードスプールを回転させ、引き紐を備えた或いは引き紐のないカーテン巻き取り構造に適用することができる。
【図面の簡単な説明】
【００２９】
【図１】本発明の組み合わせ図である。
【図２】本発明の分解図である。
【図３】本発明のガイド部品、引き紐、巻き取り軸の連接関係表示図である。
【図４】本発明の調整部品とキャリア台の第一実施例連接表示図である。
【図５】本発明の調整部品とキャリア台の第一実施例作動表示図である。
【図６】本発明の調整部品とキャリア台の第二実施例連接表示図である。
【図７】本発明の調整部品とキャリア台の第三実施例連接表示図である。
【符号の説明】
【００３０】
１００  カーテンカバー部品
１１０  引き紐
３００  コードスプール
３０１  錐状部
３１０  キャリア
３１１  第一開口
３１３  第二開口
３１５  両側壁
３１７  係合孔
３１８  穿孔
３１９  螺孔
３３０  ガイド部品
３３１  第三開口
３３３  螺旋ガイド槽
５００  調整部品
５１０  固定片
５１１  凸ブロック
５１３  穿孔
５１５  螺孔
５３０  圧片
５３１  円弧状片体
５３３  スライド棒
５３５  第二係合孔
５３７  弾力片
５５０  弾性部品
５７０  ダイヤル
５７１  ピボット
５７５  環状突起
７００  動力弾性部品
８００  外蓋
９００  上レール
９１０  回転軸
【図１】
2008088656.tif 000003
【図２】
2008088656.tif 000004
【図３】
2008088656.tif 000005
【図４】
2008088656.tif 000006
【図５】
2008088656.tif 000007
【図６】
2008088656.tif 000008
【図７】
2008088656.tif 000009